(57)【要約】【課題】この発明は、高性能の電動工具や溶断工具を用いて外壁の破壊を試みても、その破壊を困難にできる耐破壊対策を講じた耐破壊壁を備えることにより、信頼性の高い防犯構造を確保して、盗難防止性能を高めることができる筐体の提供を目的とする。【解決手段】この発明は、少なくとも１つの壁を金属壁で形成した筐体であって、耐衝撃性を有する鋼材と、耐切断性または耐磨耗性を有する超硬材と、熱拡散性を有する金属材とからなり、前記鋼材を外面側に配置し、該鋼材の内面側に、前記超硬材と前記金属材とを配置して多層構造にした耐破壊壁を設け、前記耐破壊壁を前記金属壁の一部または全部に設けたことを特徴とする。【選択図】　図４
2004076387.tif 000002
【特許請求の範囲】
【請求項１】
少なくとも１つの壁を金属壁で形成した筐体であって、
耐衝撃性を有する鋼材と、
耐切断性または耐磨耗性を有する超硬材と、
熱拡散性を有する金属材とからなり、
前記鋼材を外面側に配置し、該鋼材の内面側に、前記超硬材と前記金属材とを配置して多層構造にした耐破壊壁を設け、
前記耐破壊壁を前記金属壁の一部または全部に設けてなる筐体。
【請求項２】
少なくとも１つの壁を金属壁で形成した筐体であって、
耐衝撃性を有する鋼材と、
耐切断性または耐磨耗性を有する超硬材と、
熱拡散性を有する金属材とからなり、
前記超硬材と金属材とを重ね合せた両層を中間層とする両外面に前記鋼材を重ね合わせて一体化した４層構造の耐破壊壁を設け、
前記耐破壊壁を前記金属壁の一部または全部に設けてなる筐体。
【請求項３】
少なくとも１つの壁を金属壁で形成した筐体であって、
耐衝撃性を有する鋼材と、
耐切断性または耐磨耗性を有する超硬材と、
熱拡散性を有する金属材とからなり、
前記超硬材と金属材とを同一平面上に有し、前記平面に平行する直線方向の断面上に前記両部材がそれぞれ介在する配置に組合せて形成した混合板を中間層とする該混合板の両外面に前記鋼材を重ね合わせて一体化した３層構造の耐破壊壁を設け、
前記耐破壊壁を前記金属壁の一部または全部に設けてなる筐体。
【請求項４】
前記混合板は、前記超硬材を複数個の小片に設け、該小片を組込み許容する小片開口部を前記金属材の壁板に開口し、該小片開口部に前記小片を組込んで構成した請求項３記載の筐体。
【請求項５】
前記混合板は、前記金属材の壁板の平面に平行する縦または横方向の断面上に、前記超硬材の小片が含まれるように前記小片を前記壁板に千鳥状に配置して構成した請求項４記載の筐体。
【請求項６】
前記混合板は、前記超硬材を小片に設け、該小片を前記金属材の壁板の平面方向に傾斜させて配置した請求項４または５記載の筐体。
【請求項７】
開閉扉を有する少なくとも１つの壁を金属壁で形成した筐体であって、
前記金属壁の一部に、前記耐破壊壁を組込んで構成した請求項１、２または３記載の筐体。
【発明の詳細な説明】
【０００１】
【発明の属する技術分野】
この発明は、例えばＡＴＭ（自動預金支払機）やＣＤ（自動支払機）などに内部構成される金庫（カートリッジ）を備えた筐体に関し、さらに詳しくは外部からの壁破壊行為による金庫のセキュリティ性を高めた筐体に関する。
【０００２】
【従来の技術】
一般に、この種の筐体は厚い金属板を箱形状に製作しており、この内方に貨幣を入出金処理する貨幣処理装置と、貨幣を収納許容する金庫とを内蔵している。
【０００３】
ところが、この筐体の内部に収納待機されている大量の貨幣は、運用上において盗難の危機にさらされ、国内外においても、かねてより盗難が相次いでいる。この種の盗難の手口は、例えばバールやハンマなどの大型工具を使用して外部から筐体の扉を変形させ、該扉の鍵部を破壊して開口する手口が知られている。このような破壊工作に耐えて筐体の防犯構造を強化するために、現状では外壁の厚さを単純に厚くして対処している。
【０００４】
しかし、筐体の外壁を厚くすると全体が大型化し、また重量的にも重くなるほか、近年開発されている高性能の電動工具や溶断工具が用いられた場合は、筐体の外壁が短時間に破壊される恐れがあり、単純に板厚を厚くするだけでは、防犯性能を高めることが困難になってきている。
【０００５】
【発明が解決しようとする課題】
このため、筐体の外壁に高強度の金属材料を用いて耐破壊性を高めることが考えられるが、この筐体の破壊に関しては切断破壊か溶断破壊か変形破壊かの３種類が任意に用いられるため、それぞれに耐え得る金属材料が必要になるが、このような複数種類の破壊手段に耐え得る金属材料は一般的な工業用途として流通していない。
【０００６】
一例として、表面硬度の高い金属材料を用いて外壁を構成したときの切断破壊を考えてみた場合、グラインダ、ダイヤモンドカッタ、電動丸鋸などの電動工具に対しては表面硬度が高いために切断破壊を困難にするが、高硬度ゆえにバールやハンマなどの大型工具が用いられた場合の衝撃力に対しては脆く、変形破壊されやすい弱点がある。また、溶断工具が用いられた場合にも、外壁が局部的に短時間に溶断されてしまう恐れがあり、全ての破壊手段に耐え得る外壁を備えた筐体の開発が望まれていた。
【０００７】
そこでこの発明は、大型工具、電動工具、溶断工具などを用いて外壁の破壊を試みても、これら全ての破壊力を衰えさせて破壊行為を困難にする破壊対策を講じた特有の耐破壊壁を備えて高防犯構造を確保することができる筐体の提供を目的とする。
【０００８】
【課題を解決するための手段】
この発明は、少なくとも１つの壁を金属壁で形成した筐体であって、耐衝撃性を有する鋼材と、耐切断性または耐磨耗性を有する超硬材と、熱拡散性を有する金属材とからなり、前記鋼材を外面側に配置し、該鋼材の内面側に、前記超硬材と前記金属材とを配置して多層構造にした耐破壊壁を設け、前記耐破壊壁を前記金属壁の一部または全部に設けたことを特徴とする。
【０００９】
ここで筐体とは、前記金属壁を箱形状に製作したものであり、例えば内部に貨幣を収納して自動取引されるＡＴＭ、ＣＤ、両替機、販売機、精算機などの自動取引機に利用される。
【００１０】
前記鋼材とは、耐衝撃性（靭性）を有する延び、曲げ強度に優れた金属材料であり、例えば靭性に富むステンレス鋼を適用することができる。この耐衝撃性を有する鋼材を耐破壊壁の外面に備えることにより、バールやハンマなどの大型工具が用いられて変形破壊が試みられても、この鋼材自身が衝撃変形に強いため金属壁の変形破壊が難しくなり、大型工具による衝撃的な破壊行為の対抗策に有効である。
【００１１】
前記超硬材とは、耐切断性または耐磨耗性を有する硬度の高い金属材料であり、ダイヤモンド焼結体、セラミックス、サーメット、超硬合金、超微粒子超硬材などを適用することができる。この硬度の高い超硬材を耐破壊壁に用いることにより、グラインダ、ダイヤモンドカッタ、電動丸鋸などの電動工具が用いられて切断破壊が試みられても、この超硬材自身が切断に強いため金属壁の切断破壊が難しくなり、電動工具が用いられたときの切断破壊の対抗策に有効である。
【００１２】
前記金属材とは、熱拡散性を有する耐溶断に適した金属材料であり、例えば銅、アルミニウムなどを適用することができる。この熱拡散性を有する金属材を用いることにより、ガスバーナ、プラズマ溶断機などの溶断工具が用いられて溶断破壊が試みられても、この金属材自身が熱を拡散して溶断に強いため金属壁の溶断破壊が難しくなり、溶断工具が用いられたときの溶断破壊の対抗策に有効である。
【００１３】
前記耐破壊壁とは、上述の鋼材と超硬材と金属材との３種類の材料を多層構造に一体化したものであり、このうち鋼材を外面側に配置することにより、グラインダやダイヤモンドカッタなどの電動工具で切断破壊を試みられた場合に、靭性に富む鋼材が最初にカッタ表面に接し、このとき削り取られた切り屑がカッタの表面に付着する傾向にあるため、工具刃に目詰りを起させて研削による切断性能を劣化させることができ、電動工具による切断を困難にできる役割を有している。
【００１４】
また、鋼材が衝撃力を吸収する性質を有しているため外部からの変形破壊が加わっても、その外力に追従する如く曲げ対応して破断に耐え得ることができる。同じく、超硬材が高硬度の性質を有しているため切断破壊が加わっても、電動工具の切断抵抗や磨耗抵抗を大きくして切断破壊を困難にすることができる。同じく、金属材が熱拡散性を有しているため溶断破壊が加わっても、加熱された熱を拡散して局部的な熱の集中による溶断破壊を困難にすることができる。
【００１５】
このように、耐破壊壁は全ての破壊手段に対する耐破壊能力を有しているため、防犯性を要する筐体の壁面扉などに備えるのが適している。また、耐破壊壁は金属壁の破壊されやすい部分を考慮して一部に設けるだけでもよく、あるいは全部に設けて構成することもできる。例えば、大型の筐体の場合であれば、その筐体の破壊されやすい位置の金属壁の一部に一体に設ければよい。また、小型の筐体の場合であれば、その筐体の破壊されやすい位置の金属壁の全部に設ければよい。さらに、耐破壊壁は耐破壊能力が高いため厚さを薄くでき、同時に筐体の金属壁も薄くできるため筐体を小型化および軽量化することができる。
【００１６】
この発明によれば、外面側に設けられる鋼材と内面側に設けられる超硬材および金属材との３種類の材料を重ね合せて多層構造に一体化した耐破壊壁を筐体に設けることにより、筐体は変形破壊、切断破壊、溶断破壊の全ての種類の破壊行為を困難にして、筐体に格納されている貨幣等を保護する高防犯構造が得られる。
【００１７】
このため、筐体を破壊して壁面を開口しようとしても、破壊抵抗が極めて大きく、長時間かかってしまうため破壊行為を初期段階で諦めさせることができる。例えば、ＡＴＭなどを設置した店舗においては、防犯対策上、不正侵入や破壊行為を検知して警察や警備会社に通報するセキュリティシステムが採用されている。このとき、仮にＡＴＭに破壊行為が行われたことを警備センサが検知した場合は、セキュリティシステムが稼動し、これに応じて警察もしくは警備会社の警備員が犯行現場に到着するまでの時間、破壊行為に耐え得る堅固な耐破壊構造を有しているため、店舗としては、ＡＴＭに収納されている内部の貨幣を安全に保護する信頼性の高いセキュリティ管理が行届いた運用が図れる。
【００１８】
別の発明として、少なくとも１つの壁を金属壁で形成した筐体であって、耐衝撃性を有する鋼材と、耐切断性または耐磨耗性を有する超硬材と、熱拡散性を有する金属材とからなり、前記超硬材と金属材とを重ね合せた両層を中間層とする両外面に前記鋼材を重ね合わせて一体化した４層構造の耐破壊壁を設け、前記耐破壊壁を前記金属壁の一部または全部に設けたことを特徴とする。
【００１９】
この場合は、耐破壊壁を鋼材と超硬材と金属材と鋼材との４層構造を有しているため全ての種類の破壊行為を困難にできるほか、外面側に鋼材を有しているため耐変形破壊と耐切断破壊機能が得られる。また、４層構造の一体的な連結に際して、両外面の鋼材の加工が容易であるため多層構造にしたときの一体的な連結が容易に行える。特に、４層目に鋼材を用いることにより、２層目と３層目の超硬材と金属材を１層目に固定する必要がなくなり、１層目と４層目とを直接、螺着固定することが可能になる。
【００２０】
別の発明として、少なくとも１つの壁を金属壁で形成した筐体であって、耐衝撃性を有する鋼材と、耐切断性または耐磨耗性を有する超硬材と、熱拡散性を有する金属材とからなり、前記超硬材と金属材とを同一平面上に有し、前記平面に平行する直線方向の断面上に前記両部材がそれぞれ介在する配置に組合せて形成した混合板を中間層とする該混合板の両外面に前記鋼材を重ね合わせて一体化した３層構造の耐破壊壁を設け、前記耐破壊壁を前記金属壁の一部または全部に設けたことを特徴とする。
【００２１】
この場合は、超硬材と金属材とを同一平面上に有しているため両部材の耐切断破壊と耐溶断破壊との両機能を１枚の混合板に持たせることができ、この混合板の両面に耐変形破壊機能を有する鋼材を有しても３層構造であるため薄型化と軽量化とが図れる。
【００２２】
また、筐体の壁面を開口するための初期破壊行為は通常、壁面に対し、縦方向あるいは横方向の直線方向に破断しようとする傾向にある。このような点を考慮して縦横斜めの任意の向きの直線方向の断面上に超硬材と金属材が対応するように配設しているため、仮に何らかの破壊行為が行われても、何れかの部材が破壊を困難にする部材となって防犯性を高めることができる。
【００２３】
他の実施の形態として、前記混合板は、前記超硬材を複数個の小片に設け、該小片を組込み許容する小片開口部を前記金属材の壁板に開口し、該小片開口部に前記小片を組込んで構成したことを特徴とする。
【００２４】
このような混合板を設けた場合は、金属材の小片開口部に超硬材の小片を嵌合固定するだけで１枚の混合板を構成できる。また、金属材に高価な超硬材を部分的に配置するだけで金属材と超硬材とを介在させることができるため経済的に製作できる。また、混合板は１枚構造であるため、熱拡散作用により熱が拡散され、局部的に溶断行為が成された場合でも、容易には溶断破壊されにくい。
【００２５】
他の実施の形態として、前記混合板は、前記金属材の壁板の平面に平行する縦または横方向の断面上に、前記超硬材の小片が含まれるように前記小片を前記壁板に千鳥状に配置して構成したことを特徴とする。
【００２６】
また、超硬材を千鳥状に配置すれば、平面上に超硬材が均等に分散配置されて破壊行為が行われたときの縦横斜めの任意の向きの直線方向に金属材か超硬材かの何れかが交互に遭遇して、直線方向に破壊しようとする破壊行為の進行を著しく阻害することができる。
【００２７】
他の実施の形態として、前記混合板は、前記超硬材を小片に設け、該小片を前記金属材の壁板の平面方向に傾斜させて配置したことを特徴とする。
【００２８】
この場合は、超硬材の小片を長方形などの矩形に設けた際に、例えば傾斜を設けて平行四辺形状の向きに配置すれば、少なくとも縦横の向きの直線方向の破壊行為上に超硬材が遭遇し易くなる。
【００２９】
他の実施の形態として、開閉扉を有する少なくとも１つの壁を金属壁で形成した筐体であって、前記金属壁の一部に、前記耐破壊壁を組込んで構成した筐体であることを特徴とする
このように筐体は、その破壊されやすい部位、例えば開閉扉を有する金属壁の部位に耐破壊壁を部分的に配置すれば、破壊行為対象部位の壁面は全て破壊困難な部位となり、高防犯性を確保できる。
【００３０】
【発明の実施の形態】
この発明の一実施の形態を以下図面に基づいて詳述する。
【００３１】
図面は銀行等の金融機関に設置されるＡＴＭを示し、図１において、このＡＴＭ１１は装置本体の上部前面に、顧客に取引操作を表示案内するタッチパネル兼用の表示部１２と、通帳挿脱口１３と、カード挿脱口１４と、硬貨の入出金口１５と、紙幣の入出金口１６とを備えて、入金、出金、振込み、通帳記入、残高照会等の取引を許容している。
【００３２】
このＡＴＭ１１の取扱い操作に際しては、タッチパネル兼用の表示部１２に、取引項目別の入力案内、操作手順、受入れ案内等の各種取引の案内情報を表示し、これに基づいて顧客が入力操作を行う。
【００３３】
このＡＴＭ１１の前面下部には片開き式の前面扉１７を備えており、この前面扉１７を係員が開閉操作して内部点検できるようにし、また前面から貨幣を一括して出入れ自由に構成している。
【００３４】
この場合、前面扉１７の防犯性能を高める必要があるため、前面扉１７自体に後述する耐破壊壁１８を部分的に組込んで外部からの前面扉１７に対する破壊行為を困難にしている。
【００３５】
また、図２に示すように、後面から係員操作できるように後面にも片開き式の後面扉１９を備えている場合は、この後面扉１９にも耐破壊壁１８を一部組込んで、同様に外部からの後面扉１９に対する破壊行為を困難にしている。
【００３６】
上述の耐破壊壁１８は、ＡＴＭ１１の設置条件に応じて設けるのが好ましく、例えば取引操作に必要なＡＴＭ１１の前面のみを露出させ、他は建物の中の壁に組込んで設置される場合は、露出される前面だけを防犯壁構造にすればよい。
【００３７】
また、外周囲全面が露出された状態で設置される場合は、その全外周囲に耐破壊壁１８を設ければよく、例えば図３に示すように、ＡＴＭ２０の前後面と両側面との全周囲に上下に２本の平行する帯状の耐破壊壁１８を並列配置して構成する。
【００３８】
このように、耐破壊壁１８はＡＴＭ１１の設置条件および破壊対象部位になりやすい防犯対象面を考慮して設けるものであり、ことに内部にある貨幣収納金庫の着脱方向を考慮すると、前面扉１７や後面扉１９と対応する位置に耐破壊壁を設けることが望ましい。
【００３９】
また、耐破壊壁１８の取付けに際しては、一見して防犯構造が高そうな外観形状に見せるように特異な凹凸形状に設けてもよく、ＡＴＭの外壁面と面一に設けて耐破壊壁の存在位置が外部から分らないようにすることもできる。
【００４０】
図４は耐破壊壁１８の壁構造を断面して示し、この耐破壊壁１８は、図４（Ａ）に示すように３層構造を有し、外面層に延びや曲げ強度に優れた耐衝撃性（靭性）を有する一般鋼材、例えばステンレス鋼などの鋼板２１を用い、中間層に耐切断性または耐磨耗性に優れた高硬度の性質を有する超硬材、例えばダイヤモンド焼結体、セラミックス、サーメット、超硬合金、超微粒子超硬材などの超硬板２２を用い、内面層に熱拡散性に優れた性質を有する金属材、例えば銅、アルミニウムなどの金属板２３を用いる。
【００４１】
これら３層構造の連結に際しては、図４（Ｂ）に示すように、鋼板２１の内面に起立固定させた埋込ボルト２４に、超硬板２２と金属板２３を重ね合せ、ナット２５で螺着固定して鋼板２１と超硬板２２と金属板２３との３部材を一体に連結する。
【００４２】
この場合、３層構造の積層順は鋼板２１を外面側に配置し、その内面側に超硬板２２と金属板２３とを重ね合せて配設する。
【００４３】
上述の鋼板２１は、耐衝撃性（靭性）を有する延び、曲げ強度に優れた金属材料であるため、耐破壊壁１８の外面に備える。これにより、バールやハンマなどの大型工具が用いられて変形破壊が試みられても、この鋼板２１自身が衝撃に強いため、耐破壊壁１８の変形破壊が難しくなり、大型工具が用いられたときの衝撃的な破壊行為の対抗策に有効である。
【００４４】
さらに、鋼板２１を外面側に配置することにより、グラインダやダイヤモンドカッタなどの電動工具で切断破壊を試みられた場合に、靭性に富む鋼板２１が最初にカッタ表面に接し、このとき削り取られた切り屑がカッタの表面に付着する傾向にあるため、工具刃に目詰りを起させて研削性能を劣化させることができ、電動工具による切断を困難にできる役割を有している。
【００４５】
また、超硬板２２は、耐切断性または耐磨耗性を有する硬度の高い金属材料であるため、グラインダ、ダイヤモンドカッタ、電動丸鋸などの電動工具が用いられて切断破壊が試みられても、この超硬板２２自身が切断に強いため耐破壊壁１８の切断破壊が難しくなり、電動工具が用いられたときの切断破壊の対抗策に有効である。
【００４６】
さらに、金属板２３は、熱拡散性を有する耐溶断に適した金属材料であるため、ガスバーナ、プラズマ溶断機などの溶断工具が用いられて溶断破壊が試みられても、この金属板２３自身が熱を拡散して溶断に強いため耐破壊壁１８の溶断破壊が難しくなり、溶断工具が用いられたときの溶断破壊の対抗策に有効である。
【００４７】
この結果、図５に示すように、３種類の金属材質別に、先ず鋼板２１は１層目から３層目まで何れの層に配置してもよいが、電動工具が用いられたときの切断破壊を考慮して１層目に設けるのが適している。
【００４８】
続いて超硬板２２は、１層目だとダイヤモンドカッタで切断可能であり、さらにバールやハンマなどの大型工具による変形破壊に対する耐変形破壊としても不適であるため、鋼板内面位置の２層目あるいは３層目が適している。
【００４９】
上述の同理由から、金属板２３を１層目に配置すると鋼板に比べて容易に切断可能であるので鋼板内面位置の２層目あるいは３層目が適している。
【００５０】
このように構成されたＡＴＭ１１は、箱体の外周囲を構成する金属壁の破壊対象位置となりやすい部分に設定して耐破壊壁１８を部分的に設けるものであり、例えば図１に示すように、大きな前面扉１７の金属壁に対し、その水平方向に平行する上下一対の耐破壊壁１８を一体に介在させている。
【００５１】
このため、バールやハンマを用いた外部からの変形破壊が加わっても、耐破壊壁１８の位置で、その外層に相当する鋼板２１の部分で衝撃力を吸収し、またその外力に追従対応して緩やかに湾曲して超硬板２２を保持するため、耐衝撃性と高硬度を兼ね備えて破壊に耐え得ることができる。
【００５２】
同じく、ダイヤモンドカッタ、ハンドグラインダなどの電動工具を用いた外部からの切断破壊が加わっても、耐破壊壁１８の位置で、その内層の超硬板２２が高硬度であるため、これに電動工具のカッタが接触したときに切断抵抗や磨耗抵抗が大きくなり、この結果、切断破壊が衰え、電動工具による切断を困難にすることができる。
【００５３】
同じく、ガスバーナ、プラズマ溶断機などの溶断工具を用いた溶断破壊が加わっても、耐破壊壁１８の位置で、その内層の金属板２３の部分で溶断工具により加熱された熱を拡散して局部的な熱の集中を回避させることができる。このため、溶断工具が用いられても、溶断抵抗を大きくして溶断破壊を困難にすることができる。
【００５４】
このように鋼板２１と超硬板２２と金属板２３との３種類の異種材料を多層構造に一体化した耐破壊壁１８を、ＡＴＭ１１の金属製の外壁に一体に設けることにより、変形破壊、切断破壊、溶断破壊の全ての種類の破壊行為を困難にできる。このため、壁面を不正な手段で開口するには長時間かかってしまい、破壊行為を初期段階で諦めさせることができる。
【００５５】
図６は他の実施の形態の耐破壊壁６０を示し、この耐破壊壁６０は図６（Ａ）に示すように、１層目に鋼板６１を、２層目に超硬板６２を、３層目に金属板６３を、４層目に鋼板６４を重ね合せて一体化した４層構造に構成したものである。
【００５６】
このように４層構造にした場合は、上述の実施の形態と同様に全ての破壊行為を困難にできる。また、４層構造の一体的な連結に際しては、両外面の鋼板６１、６４の機械的な加工や細工が容易であるため多層構造にしたときの一体的な連結が容易に行える。
【００５７】
例えば、図６（Ｂ）に示すように、４層目に鋼板６４を用いることにより、２層目と３層目の超硬板６２と金属板６３とを１層目に固定する必要がなくなり、１層目と４層目とを端部で直接、ボルト６５を用いて螺着固定することができる。
【００５８】
図７は他の実施の形態の３層構造の耐破壊壁７０を示し、この耐破壊壁７０は図７（Ａ）に示すように、１層目に鋼板７１を、２層目に混合板７２を、３層目に鋼板７３を重ね合せて一体化したものである。
【００５９】
前記１層目と３層目の鋼板７１、７３は既述した鋼板と同様に耐衝撃性（靭性）を有する延びや曲げ強度に優れた金属材料であり、大型工具が用いられたときの耐変形破壊に有効である。
【００６０】
前記混合板７２は、図７（Ｂ）に示すように中間層として設けられ、複数個の超硬材の小片７４を設け、該超硬材の小片７４を嵌合するための小片開口部７５を金属板７６に開口して設け、該小片開口部７５に前記超硬材の小片７４を嵌合して、前記超硬材の小片７４と金属板７６とを同一平面上に有している。
【００６１】
この場合、超硬材の小片７４と金属板７６とを同一平面上に有しているため両板７４、７６の耐切断破壊と耐溶断破壊との両機能を１枚の混合板７２に持たせることができ、両面に鋼板７１、７３を有しても３層構造であるため薄型化と軽量化とが図れる。
【００６２】
また、超硬材の小片７４を金属板７６上に嵌合して千鳥状に分散配置すれば、混合板７２の同一平面上に超硬材の小片７４が均等に分散配置される。また、破壊行為が行われたときの縦横斜めの任意の向きの直線方向の断面上に鋼板７１，７３に加えて超硬材の小片７４か金属板７６かの何れかに遭遇するような千鳥状に配置して、壁面を直線方向に破壊しようとする破壊行為（図７Ａに想像線で示す）の進行を著しく阻害することができる。
【００６３】
ことに、破壊行為は壁面に対し、縦方向あるいは横方向の直線方向に破断しようとする傾向にあるが、仮に何らかの破壊行為が行われても、耐破壊壁７０に組込まれている何れかの部材が抵抗部材となって破壊を困難にする。
【００６４】
このような混合板７２を組込んで耐破壊壁７０を構成した場合は、金属板７６の小片開口部７５に超硬材の小片７４を嵌合固定するだけで１枚厚さの混合板７２を構成できるため、比較的高価な超硬材の小片７４を部分的に用いるだけでよく経済的に製作できる。
【００６５】
図８は他の実施の形態の３層構造の耐破壊壁８０を示し、この耐破壊壁８０は図８（Ａ）および図８（Ｂ）に示すように、１層目に鋼板８１を、２層目に混合板８２を、３層目に鋼板８３を重ね合せて一体化したものであり、既述した図７の耐破壊壁７０とは略同一の構成を有するため、異なる部分についてのみ説明する。
【００６６】
この耐破壊壁８０の異なる部分は、混合板８２の超硬材の小片８４の配置される向きが、金属板８５の平面方向に角度を設けて配置したものである。この場合は、少なくとも縦方向と横方向の向きの直線方向の破壊行為上に超硬材の小片８４が長い距離をとって存在することになるため、破壊行為が行われたときに遭遇し易くなり、また切断作業に長時間要する防犯性能が得られる。
【００６７】
上述のように、外面側に設けられる鋼板と内面側に設けられる超硬板および金属板との３種類の金属を重ね合せて多層構造に一体化した耐破壊壁をＡＴＭの外壁に設けることにより、ＡＴＭは変形破壊、切断破壊、溶断破壊の全ての種類の破壊行為を困難にして、不正な手段で開口するのに長時間かかってしまい、ＡＴＭに格納されている貨幣を保護する高防犯構造が得られる。
【００６８】
この発明の構成と、上述の一実施の形態との対応において、
この発明の筐体は、実施の形態のＡＴＭ１１に対応し、
以下同様に、
鋼材は、一般鋼材の鋼板２１、６１、６４、７１、７３、８１、８３に対応し、
超硬材は、超硬板２２、６２と、超硬材の小片７４、８４とに対応し、
金属材は、金属板２３、６３、７６、８５に対応し、
開閉扉は、前面扉１７と後面扉１９とに対応するも、
この発明は、請求項に示される技術思想に基づいて応用することができ、上述の一実施の形態の構成のみに限定されるものではない。
【００６９】
【発明の効果】
この発明によれば、鋼材と超硬材と金属材との３種類の材料を多層構造に一体化した耐破壊壁を筐体に設けることにより、筐体は変形破壊、切断破壊、溶断破壊の全ての破壊手段を困難にして筐体内部に収納している収納物の盗難に対して保護する高性能の防犯構造が得られる。このため、筐体を破壊して壁面を開口しようとしても、破壊抵抗が極めて大きく長時間かかってしまうため何れの破壊行為であっても、初期段階で諦めさせることができる。
【図面の簡単な説明】
【図１】前面扉に耐破壊壁を備えたＡＴＭを示す外観斜視図。
【図２】後面扉に耐破壊壁を備えたＡＴＭを示す外観斜視図。
【図３】外周囲に耐破壊壁を備えたＡＴＭを示す外観斜視図。
【図４】耐破壊壁の３層連結状態の一例を示す要部縦断面図。
【図５】材質別の配置条件を示す図表。
【図６】耐破壊壁の４層連結状態の一例を示す要部縦断面図。
【図７】超硬材小片の千鳥状配置状態を示す説明図。
【図８】超硬材小片の千鳥状配置状態の他の例を示す説明図。
【符号の説明】
１１…ＡＴＭ
２１、６１、６４、７１、７３、８１、８３…鋼板
２２、６２、７４、８４…超硬板
２３、６３、７６、８５…金属板
１８、６０、７０、８０…耐破壊壁
７２、８２…混合板
【図１】
2004076387.tif 000003
【図２】
2004076387.tif 000004
【図３】
2004076387.tif 000005
【図４】
2004076387.tif 000006
【図５】
2004076387.tif 000007
【図６】
2004076387.tif 000008
【図７】
2004076387.tif 000009
【図８】
2004076387.tif 000010